【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
容器(1)を形成かつ充填する装置であって、
該装置は、連結されて当該成形ステーション(24)を形成する主要ステーション(25、25a、25b、25c)及び要素的ステーション(23、23a、23b、23c)を各々が備えるという成形ステーション(24)においてプリフォーム(2)から順次的な容器(1)へと成形して液体により充填すべく適合化される、
という装置において、
該装置は、第1閉ループ(18)に沿い移動する一連の要素的ステーション(23、23a、23b、23c)、及び、第2閉ループ(61)に沿い移動する一連の主要ステーション(25、25a、25b、25c)を備え、
前記第1閉ループ(18)及び前記第2閉ループ(61)は、前記主要ステーション(25、25a、25b、25c)が前記要素的ステーション(23、23a、23b、23c)に対して連結されるという少なくとも一つの共通部分と、前記主要ステーション(25、25a、25b、25c)が前記要素的ステーション(23、23a、23b、23c)から分離されるという少なくとも固有部分とを備えることを特徴とする、装置。
【請求項２】
前記第1閉ループ(18)に沿い移動する要素的ステーション(23、23a、23b、23c)よりも少ない個数の主要ステーション(25、25a、25b、25c)が前記第2閉ループ(61)に沿い移動する、請求項１に記載の容器を形成かつ充填する装置。
【請求項３】
当該装置は、少なくとも、前記一連の主要ステーション(25、25a、25b、25c)を担持する第1ホィール(20)を備え、
前記第1閉ループ(18)の前記固有部分は、前記第1ホィール(20)の周縁部の外側に延在する、請求項１または２に記載の容器を形成かつ充填する装置。
【請求項４】
前記第2閉ループ(61)は前記第1ホィール(20)の周縁部により画成される、請求項３に記載の容器を形成かつ充填する装置。
【請求項５】
各要素的ステーション(23、23a、23b、23c)は、少なくとも、プリフォーム(2)の、または、充填済み容器(1)のネックを保持する保持手段(26、106)を備える、請求項１から４のいずれか一つの請求項に記載の容器を形成かつ充填する装置。
【請求項６】
前記保持手段(106)は、前記容器(1)をそのネック(8)により保持すべく配置構成された少なくともネック保持部材(108)と、前記容器(1)をその底部(10)により保持すべく配置構成された少なくとも底部保持部材(36、128)とを備え、
前記ネック保持部材(108)及び前記底部保持部材(36、128)は、容器(1)が保持されるという保持位置と、該底部保持部材(36、128)及び該ネック保持部材(108)が相互から離間移動されるという解除位置との間で、相互に対して移動可能である、請求項５に記載の容器を形成かつ充填する装置。
【請求項７】
各成形ステーション(24)は、形成されるべき容器の形状を画成する型成形キャビティ(34)を備え、各主要ステーション(25、25a、25b、25c)は、少なくとも、前記型成形キャビティ(34)の主要部分(34a)を備え、
前記成形ステーション(24)は、一対の側部型成形部材(30、32)を備え、該対の各部材は、該対(30、32)内にプリフォームが挿入され得ると共に該対(30、32)から充填済み容器が抜き取り可能であるという開き形態と、該一対の側部型成形部材(30、32)が底部型成形部材(36)と協働して前記型成形キャビティ(34)を形成するという閉じ形態と、の間で他方の部材に関して移動可能であり、
各主要ステーション(25、25a、25b、25c)は、前記型成形キャビティ(34)内に載置されたプリフォーム(2)の内部に液体を射出する射出手段(28)を更に備える、請求項１から６のいずれか一つの請求項に記載の容器を形成かつ充填する装置。
【請求項８】
各要素的ステーション(23、23a、23b、23c)は、少なくとも、プリフォーム(2)の、または、充填済み容器(1)のネックを保持する保持手段(26、106)を備え、
前記要素的ステーション(23)は、前記一対の側部型成形部材(30、32)を備え、前記保持手段(106)は該対により構成されており、
前記主要ステーション(25)に含まれた前記型成形キャビティ(34)の前記主要部分(34a)は、前記底部型成形部材(36)を備える、請求項７に記載の容器を形成かつ充填する装置。
【請求項９】
各要素的ステーション(23、23a、23b、23c)は、少なくとも、プリフォーム(2)の、または、充填済み容器(1)のネックを保持する保持手段(26、106)を備え、
前記主要ステーション(25a、25c)に含まれた前記型成形キャビティ(34)の前記主要部分(34a)は、前記一対の側部型成形部材(30、32)を備え、且つ、前記保持手段(106)を受容すべく配置構成される、請求項７に記載の容器を形成かつ充填する装置。
【請求項１０】
前記主要ステーション(25c)は、前記底部型成形部材(36)を少なくとも横方向に移動させるべく配置された移行アーム(130)を更に備える、請求項９に記載の容器を形成かつ充填する装置。
【請求項１１】
各要素的ステーション(23、23a、23b、23c)は、少なくとも、プリフォーム(2)の、または、充填済み容器(1)のネックを保持する保持手段(26、106)を備え、
前記主要ステーション(25b)に含まれた前記型成形キャビティ(34)の前記主要部分(34a)は、前記一対の側部型成形部材(30、32)の主要部(126)を備え、
前記保持手段(106)は、前記一対の側部型成形部材(30、32)の相補的部分(128)を備え、
前記主要部(126)及び前記相補的部分(128)は、協働して前記一対の側部型成形部材(30、32)を形成する、請求項７に記載の容器を形成かつ充填する装置。
【請求項１２】
各要素的ステーション(23、23a、23b、23c)は、形成された容器(1)から液体が外方に溢れることを阻止する溢流防止デバイスを更に備える、請求項１から１１のいずれか一つの請求項に記載の容器を形成かつ充填する装置。
【請求項１３】
各要素的ステーション(23、23a、23b、23c)は、少なくとも、プリフォーム(2)の、または、充填済み容器(1)のネックを保持する保持手段(26、106)を備え、
前記要素的ステーション(23、23a、23b、23c)は、前記溢流防止デバイスを溢流防止形態に載置すべく配置構成された溢流防止アクチュエータ(114)であって、前記溢流防止デバイスをプリフォーム(2)のネック(8)から回収するために該溢流防止デバイスを前記保持手段(106)から離間移動させるという溢流防止アクチュエータ(114)を備える、請求項１２に記載の容器を形成かつ充填する装置。
【請求項１４】
前記溢流防止デバイスは、プリフォーム(2)の、もしくは、容器(1)のネック(8)上に液密様式で載置されるべく配置構成された延長デバイス(64)を備え、該延長デバイス(64)は、前記ネック(8)の内側円筒状開口(12)と連続して延在する中央ボアを備える、請求項１２または１３に記載の容器を形成かつ充填する装置。
【請求項１５】
前記第1閉ループ(18)の前記固有部分は、該第1閉ループ(18)及び第2閉ループ(61)の共通部分の下流に延在する少なくとも一つの直線状部分(48)を備え、
前記第1閉ループ(18)及び前記第2閉ループ(61)の前記共通部分は、少なくとも一つの円形部分(46)を備え、
前記第1閉ループ(18)の前記直線状部分(48)は、前記円形部分(46)の直下流に延在し、且つ、該直線状部分(48)は、前記円形部分(46)と該直線状部分(48)との間の分離接合部(54)において前記円形部分(48)の接線を形成する方向に延在し、
前記主要ステーション(25、25a、25b、25c)は、前記分離接合部(54)において前記要素的ステーション(23、23a、23b、23c)から分離される、請求項１から１４のいずれか一つの請求項に記載の容器を形成かつ充填する装置。
【請求項１６】
各要素的ステーション(23、23a、23b、23c)は、少なくとも、プリフォーム(2)の、または、充填済み容器(1)のネックを保持する保持手段(26、106)を備え、
当該装置は、前記第1閉ループ(18)の外側に延在する出口領域(88)であって、前記直線状部分(48)の下流に配置された出口接合部(60)にて前記第1閉ループ(18)に対して接続されたという出口領域(88)を備え、且つ、該装置は、出口キャリヤ(85)を備えた出口コンベア(86)を備え、
前記出口コンベア(86)は、前記出口接合部(60)の上流に配置された回収領域(80)に沿い、且つ、前記出口領域(88)に沿い、連続的に延在し、各出口キャリヤ(85)は、該出口キャリヤ(85)が前記回収領域(80)に在る間に、充填済み容器(1)を前記保持手段(106)から抜き取るべく配置された抜き取り手段(84)を備える、請求項１５に記載の容器を形成かつ充填する装置。
【請求項１７】
当該装置は、前記出口接合部(60)の上流に配置されて順次的な要素的ステーション(23a、23b、23c)間のピッチを減少すべく配置構成された減少手段(90)を更に備え、且つ／又は、当該装置は、前記出口領域(88)に沿い配置されて２つの順次的な出口キャリヤ(85)間のピッチを減少すべく配置構成された減少手段(90)を更に備える、請求項１６に記載の容器を形成かつ充填する装置。
【請求項１８】
請求項１から１７のいずれか一つの請求項に記載の装置を用いて容器を形成かつ充填する方法であって、
前記第1閉ループ(18)の前記固有部分において、順次的なプリフォーム(2)を前記要素的ステーション(23、23a、23b、23c)に装填する段階と、
プリフォーム(2)を保持する要素的ステーション(23、23a、23b、23c)を、前記第1閉ループ(18)及び前記第2閉ループ(61)の前記共通部分へと移動させる段階と、
要素的ステーション(23、23a、23b、23c)を主要ステーション(25、25a、25b、25c)に対して連結して成形ステーション(24)を形成する段階と、
前記第1閉ループ(18)及び前記第2閉ループ(61)の前記共通部分において、前記成形ステーション(24)において容器(1)を形成かつ充填する段階を実施する段階と、
要素的ステーション(23、23a、23b、23c)を主要ステーション(25、25a、25b、25c)から連結解除し、要素的ステーション(23、23a、23b、23c)を前記第1閉ループ(18)の前記固有部分へと移動する段階であって、前記要素的ステーション(23、23a、23b、23c)は、形成かつ充填されたプリフォーム(2)を保持するという段階と、
形成かつ充填された容器(1)を、前記第1閉ループ(18)の前記固有部分において前記要素的ステーション(23、23a、23b、23c)から回収する段階と、
を有する方法。